(57)【要約】【課題】マニュアルフォーカス調整を行う従来の撮像装置では、１コマ全体の構成画面のどの位置のピント確認かが判断しにくく、また拡大表示画像と周囲の全体画像との混在により、違和感のある画像表示になり、フォーカス調整を精度良く行うことが困難である。【解決手段】画素間引き処理部９は固体撮像素子３からの撮像信号の一画面領域をＴＶモニタ１６の全画面領域で表示させる第１の倍率で撮像信号を縮小処理すると共に、第１の倍率の１／Ｎ倍の第２の倍率で撮像信号を縮小する。拡大表示範囲選択処理部１０は、フォーカス調整位置ＳＷ１４により指示選択された撮像信号の部分画像位置を切り出して、その部分画像を第２の倍率よりも高い第３の倍率で拡大処理して部分拡大画像信号を生成する。画素間引き処理部９からの縮小処理された撮像信号による被写体全体画像と、部分拡大画像信号による部分拡大画像とは合成処理されてＴＶモニタ１６で同時表示される。【選択図】図１
2008206105.tif 000002
【特許請求の範囲】
【請求項１】
フォーカス調整機能付レンズにより集光された被写体光像を固体撮像素子により光電変換し、得られた撮像信号に対して所定の信号処理を行って画像表示手段に表示させる固体撮像装置において、
オートフォーカス調整時は前記固体撮像素子からの前記撮像信号の全画面領域を前記画像表示手段の全画面領域で表示させる第１の倍率で前記撮像信号を縮小処理し、マニュアルフォーカス調整時は前記第１の倍率の１／Ｎ（Ｎは２以上の自然数）倍の第２の倍率で前記撮像信号を縮小処理する縮小処理手段と、
前記撮像信号の全画面領域内のフォーカス調整をする部分画像位置を指示選択するためのフォーカス調整位置選択制御手段と、
前記フォーカス調整位置選択制御手段により指示選択された前記撮像信号の部分画像位置を切り出して、その部分画像を前記第２の倍率よりも高い第３の倍率で拡大処理して部分拡大画像信号を生成する拡大処理手段と、
前記フォーカス調整機能付レンズによるマニュアルフォーカス調整を行うかオートフォーカス調整を行うかを指示するフォーカス調整指示手段と、
前記フォーカス調整指示手段によるオートフォーカス調整の指示があるときは、前記縮小処理手段にて前記第１の倍率で縮小処理された前記撮像信号を前記画像表示手段にそのまま出力し、前記フォーカス調整指示手段によるマニュアルフォーカス調整の指示があるときは、前記縮小処理手段にて前記第２の倍率で縮小処理された前記撮像信号と、前記拡大処理手段にて前記第３の倍率で拡大処理して得られた前記部分拡大画像信号とを互いに重ならないように合成処理して合成画像を生成して前記画像表示手段に出力する画像合成手段と
を有することを特徴とする固体撮像装置。
【請求項２】
前記固体撮像素子からの前記撮像信号の一画面領域を、水平方向及び垂直方向共にＭ分割（Ｍは２以上の任意の自然数）して得られるＭ２個の分割画面領域のそれぞれに固有の管理情報を付与する管理手段と、前記フォーカス調整位置選択制御手段により指示選択された前記撮像信号の部分画像位置が含まれる前記分割画面領域の固有の前記管理情報を、前記画像表示手段の画面上において前記拡大処理手段で生成される前記部分拡大画像信号による被写体部分拡大画像にオンスクリーンディスプレイで重ねて表示させる手段とを更に有することを特徴とする請求項１記載の固体撮像装置。
【請求項３】
前記管理手段は、前記固体撮像素子からの前記撮像信号の全画面領域を、水平方向及び垂直方向共にＭ分割（Ｍは２以上の任意の自然数）して得られるＭ２個の分割画面領域のそれぞれに固有の管理情報を付与すると共に、前記Ｍの値が偶数のときは前記撮像信号の全画面領域の中心部を含む一つの分割画面領域を示す管理情報を別途追加付与することを特徴とする請求項２記載の固体撮像装置。
【発明の詳細な説明】
【技術分野】
【０００１】
本発明は固体撮像装置に係り、特に高精細画像データを扱う電子カメラにおいて、画角設定確認とレンズに機能搭載されたマニュアルフォーカス調整にて所定位置でのピント調整確認を行うフォーカス調整機能を備えた固体撮像装置に関する。
【背景技術】
【０００２】
インターネットを介して遠隔制御可能な監視カメラ（ＩＰセキュリティカメラ）である箱形電子カメラや固定ドーム形電子カメラは、マニュアルフォーカス調整機能付レンズ搭載が主流であり、監視する被写体の画角範囲を容易に設定可能とするためにバリフォーカルレンズを搭載する機会が多い。そのため、現場での設置施工性を簡単にするため、現場での設置施工時に使用する画像調整用映像出力端子搭載の要求が強く、ＩＰ用としてのディジタル映像信号を扱うと同時に、電子カメラであってもＮＴＳＣ方式やＰＡＬ方式のアナログ映像信号等による画像調整用映像出力端子が設けられているのが通例である。
【０００３】
現在、民生用電子カメラの撮像素子は画素数が多くなる傾向にあり、５メガピクセル（５００万画素）は当たり前で、１ギガピクセル近いカメラまで登場してきている。一方、ＩＰセキュリティカメラの分野でも、遅ればせながらメガピクセルカメラが導入されつつあり、ＳＸＧＡ（１２０万画素）クラスを中心に、５メガピクセル（５００万画素）クラスの電子カメラも登場してきている。
【０００４】
このような状況の中、画像調整用映像出力端子として設けられているＮＴＳＣ方式やＰＡＬ方式のアナログ映像信号等により、現場でのカメラ設置時の画角設定確認とマニュアルフォーカス調整にて所定位置のピント確認を行うことは、ＩＰ用として出力されるディジタル映像信号本来の解像度に対して低い解像度でのＴＶモニタによりフォーカス調整をしなければならないため、最終的にはＩＰセキュリティシステムの全体設定完了後、ＩＰ用として出力されるディジタル映像信号を本来の解像度での映像モニタを介してのピント確認や電子ズーム処理により拡大表示したときのピントが最適であるかを確認する必要がある。その結果、現場でのカメラの画角設定確認とマニュアルフォーカスの再調整の必要が発生する可能性が高く、効率的な設置施工が期待できない。
【０００５】
一方、オートフォーカス調整機能搭載の民生用電子カメラでは、画素数の多い固体撮像素子で撮像されるディジタル画像のピント状態をカメラ本体に内蔵された画像表示手段で確認することができるが、その画像表示手段は２.５インチから３インチ程度（２０数万画素）の画素数が少ない液晶モニタ等であるため、撮像画像の必要な精度のピント状態を確認することが困難である。そこで、オートフォーカス機能搭載のカメラにおいて、手動でピント合わせを行うマニュアルフォーカス機能と、オートフォーカス機能とを切り換えると共に画像表示手段に表示させる画像を所定の倍率に拡大するスイッチとを設け、通常はオートフォーカス機能を動作させて固体撮像素子から得られる１コマ全体の画像信号を画像表示手段である液晶モニタの画素数に一致するよう画像信号の水平方向及び垂直方向の画素数を所定の割合で間引いて（画素数を減じて）液晶モニタに出力表示し、上記スイッチがオンされマニュアルフォーカスが可能になると、１コマ全体から部分画像を切り出し、その切り出した部分画像の画像信号をそのまま、又は前記通常の場合より画素の間引き率を小さくして液晶モニタに出力することで拡大表示し、実際に撮像される画像のピント状態をマニュアルで精度良く確認する撮像装置が提案されている（例えば、特許文献１参照）。
【０００６】
また、本提案の改良として、画像拡大表示制御スイッチとズーム表示制御スイッチとを併用し、画像拡大表示制御スイッチがオンされると、１コマ全体の画像信号を液晶モニタ上に表示しつつ、画像中央部分を１コマ全体から所定の部分画像を切り出した映像信号を液晶モニタ上の中央部にインポーズ処理による画面拡大合成表示を行い、切り出しによる部分画像インポーズ範囲はズーム表示制御スイッチのズーム指令に応じて１コマ全体画像のうちの拡大する所定の部分画像切り出し範囲を変更することで、液晶モニタ画面の全画面までの範囲内で拡大表示し、実際に撮像される画像のピント状態を精度よく確認する撮像装置が提案されている（例えば、特許文献２参照）。
【０００７】
更に、オートフォーカス調整機能搭載の民生用電子カメラにおいて、オートフォーカス調整時に拡大表示画面を用いてピント確認する方法としては、１コマ全体の画像のうちの画像中央部分に囚われず任意の位置でのフォーカス確認を可能とし、任意の位置での所定の部分画像を切り出した映像信号を液晶モニタ上の中央部にインポーズ処理による画面拡大合成表示を行い、実際に撮像される画像のピント状態を精度良く確認する手段を備えた撮像装置が提案されている（例えば、特許文献３参照）。
【０００８】
【特許文献１】特開平１１−２９８７９１号公報
【特許文献２】特開２００２−５１２３９号公報
【特許文献３】特開２００５−３２８２２５号公報
【発明の開示】
【発明が解決しようとする課題】
【０００９】
しかしながら、上記特許文献１記載の従来の撮像装置では、１コマ全体から所定の部分画像を切り出し、電子カメラ内蔵の液晶モニタ画面の全画面まで画像拡大表示することでピントを確認するため、全体構成の表示画面とピント確認用拡大表示画面とを一々切り替えて確認する不便さがある。
【００１０】
また、上記特許文献２記載の従来の撮像装置では、１コマ全体の画像を液晶モニタ画面の全画面に表示し、その表示画像の上に所定の切り出し画像をインポーズ処理により画面拡大合成表示を行うことでピントを確認するため、インポーズ処理で拡大された画像拡大範囲部分は１コマ全体の画像表示部分としては見えなくなってしまい、ズーム指令に応じで１コマ全体画像のうちの拡大する所定の部分画像切り出し範囲を変更するズーム比率が高くなるほど見えなくなる範囲が大きくなり、１コマ全体の構成画面の確認を困難にすると共に拡大表示画像と周囲の全体画像との混在により、本来の中央部分の範囲画像自体が隠れてしまい、違和感のある画像表示になってしまう欠点がある。
【００１１】
更に、上記特許文献３記載の従来の撮像装置では、特許文献２記載の従来の撮像装置が１コマ全体画像の中心部を拡大表示しているのに対し、任意の位置での所定の部分画像切り出しを行い、１コマ全体の画像を液晶モニタ画面の全画面に表示し、その表示画像の上に所定の切り出し画像をインポーズ処理により画面拡大合成表示を行うことでピントを確認するため、１コマ全体の構成画面のどの位置のピント確認かを判断しにくくしている。また、１コマ全体の構成画面の確認を困難にすると共に拡大表示画像と周囲の全体画像との混在により、違和感のある画像表示になってしまう欠点は、特許文献２記載の従来の撮像装置と同様である。
【００１２】
一方、ＩＰセキュリティカメラである箱形電子カメラや固定ドーム形電子カメラは、もともと民生用電子カメラのように撮像画像確認用の液晶モニタ等は搭載しておらず、現場での設置施工時には、ＩＰ用としてのディジタル映像出力信号とは別に設けられたカメラからの画像調整用映像出力端子を用い、１０インチ程度のＮＴＳＣ方式又はＰＡＬ方式用のＴＶモニタ等を使用し、全体像の画角調整及びマニュアルフォーカス調整によるピント確認が行われており、これは従来からのＶＧＡ（６４０ｘ４８０≒３０万画素）クラスのカメラだけでなく、高精細画像対応のカメラでも同様である。従って、解像度が従来からのＶＧＡクラスのカメラにおけるピント確認は、ＮＴＳＣ方式用等のＴＶモニタの表示解像度で十分対応可能であるが、ＳＸＧＡ（１２８０ｘ９６０≒１２０万画素）程度以上の高精細画像対応カメラになるとＮＴＳＣ方式用等のＴＶモニタでのピント確認は不十分である。
【００１３】
本発明は以上の点に鑑みなされたもので、前記特許文献１〜３記載の撮像装置（民生用電子カメラ）より更に調整し易く、しかも設置施工性の高い調整確認方法として、所定の切り出し画像による拡大画像表示を用いてのマニュアルフォーカス調整により容易にピント調整確認を可能とし、同時に画角確認のための全体画像も拡大表示画像で隠れることもなく常に元画像を確認表示できる視認性の良いフォーカス調整手段を備えた固体撮像装置を提供することを目的とする。
【課題を解決するための手段】
【００１４】
上記の目的を達成するため、第１の発明固体撮像装置は、フォーカス調整機能付レンズにより集光された被写体光像を固体撮像素子により光電変換し、得られた撮像信号に対して所定の信号処理を行って画像表示手段に表示させる固体撮像装置において、オートフォーカス調整時は固体撮像素子からの撮像信号の全画面領域を画像表示手段の全画面領域で表示させる第１の倍率で撮像信号を縮小処理し、マニュアルフォーカス調整時は第１の倍率の１／Ｎ（Ｎは２以上の自然数）倍の第２の倍率で撮像信号を縮小処理する縮小処理手段と、撮像信号の全画面領域内のフォーカス調整をする部分画像位置を指示選択するためのフォーカス調整位置選択制御手段と、フォーカス調整位置選択制御手段により指示選択された撮像信号の部分画像位置を切り出して、その部分画像を第２の倍率よりも高い第３の倍率で拡大処理して部分拡大画像信号を生成する拡大処理手段と、フォーカス調整機能付レンズによるマニュアルフォーカス調整を行うかオートフォーカス調整を行うかを指示するフォーカス調整指示手段と、フォーカス調整指示手段によるオートフォーカス調整の指示があるときは、縮小処理手段にて第１の倍率で縮小処理された撮像信号を画像表示手段にそのまま出力し、フォーカス調整指示手段によるマニュアルフォーカス調整の指示があるときは、縮小処理手段にて第２の倍率で縮小処理された撮像信号と、拡大処理手段にて第３の倍率で拡大処理して得られた部分拡大画像信号とを互いに重ならないように合成処理して合成画像を生成して画像表示手段に出力する画像合成手段とを有することを特徴とする。
【００１５】
この発明では、マニュアルフォーカス調整時は、第２の倍率で縮小処理された撮像信号による被写体全体縮小画像と、部分拡大画像信号による被写体部分拡大画像とを画像表示手段の同一画面上に重ならないように同時表示するようにしたため、画像表示手段で同時表示される被写体全体縮小画像で撮像構図を確認しながら、部分拡大画像信号による被写体部分拡大画像でマニュアルフォーカス調整のピント調整結果を容易に確認することができる。
【００１６】
また、上記の目的を達成するため、第２の発明は固体撮像素子からの撮像信号の一画面領域を、水平方向及び垂直方向共にＭ分割（Ｍは２以上の任意の自然数）して得られるＭ２個の分割画面領域のそれぞれに固有の管理情報を付与する管理手段と、フォーカス調整位置選択制御手段により指示選択された撮像信号の部分画像位置が含まれる分割画面領域の固有の管理情報を、画像表示手段の画面上において拡大処理手段で生成される部分拡大画像信号による被写体部分拡大画像にオンスクリーンディスプレイで重ねて表示させる手段とを更に有することを特徴とする。
【００１７】
この発明では、撮像信号の部分画像位置が含まれる分割画面領域の固有の管理情報を、画像表示手段の画面上において、その部分画像位置のフォーカス確認用の被写体部分拡大画像に重ねて表示されるため、現在のフォーカス確認位置が被写体全体画像のどの領域であるかを容易に確認することができる。
【００１８】
また、上記の目的を達成するため、第３の発明は、第２の発明の管理手段は、固体撮像素子からの撮像信号の全画面領域を、水平方向及び垂直方向共にＭ分割（Ｍは２以上の任意の自然数）して得られるＭ２個の分割画面領域のそれぞれに固有の管理情報を付与すると共に、Ｍの値が偶数のときは撮像信号の全画面領域の中心部を含む一つの分割画面領域を示す管理情報を別途追加付与することを特徴とする。この発明では、Ｍの値が偶数のときは撮像信号の全画面領域の中心部を基点にした拡大画像表示ができないが、被写体全体画像の中心部を含む一つの分割画面領域を示す管理情報を別途追加することで、その管理情報を用いて被写体全体画像の中心部のフォーカス調整確認ができる。
【発明の効果】
【００１９】
本発明によれば、マニュアルフォーカス調整時は、画像表示手段で同時表示される被写体全体縮小画像で撮像構図を確認しながら、部分拡大画像信号による被写体部分拡大画像でマニュアルフォーカス調整のピント調整結果を容易に確認することができるため、マニュアルフォーカス調整を精度良く行うことができ、これにより現場での効率の良い固体撮像装置の設置施工が可能となる。
【００２０】
また、本発明によれば、撮像信号の部分画像位置が含まれる分割画面領域の固有の管理情報を、画像表示手段の画面上において、その部分画像位置のフォーカス確認用の被写体部分拡大画像に重ねて表示されることで、現在のフォーカス確認位置が被写体全体画像のどの領域であるかを容易に確認することができるため、画角調整やマニュアルフォーカス調整時のターゲット画面の視認性を高めることが可能である。
【００２１】
更に、本発明によれば、撮像信号の全画面領域を、水平方向及び垂直方向共にＭ分割（Ｍは２以上の任意の自然数）するときのＭの値が偶数のときは撮像信号の全画面領域の中心部を基点にした拡大画像表示ができないが、被写体全体画像の中心部を含む一つの分割画面領域を示す管理情報を別途追加することで、その管理情報を用いて被写体全体画像の中心部のフォーカス調整確認ができるため、特にＩＰセキュリティカメラのように全体画像の中心部へのフォーカス調整要求が発生する割合が高い固体撮像装置に適用して好適である。
【発明を実施するための最良の形態】
【００２２】
次に、発明を実施するための最良の形態について図面と共に説明する。図１は本発明になる固体撮像装置の一実施の形態のブロック図を示す。本実施の形態のフォーカス調整機能を備えた固体撮像装置１は、ネットワーク１７を介して外部の画像再生装置や記録装置等と接続され、また、固体撮像装置１に装着されたレンズ２によるマニュアルフォーカス調整用としての画像調整用映像出力処理部１５からの映像信号を表示するためのＴＶモニタ１６に接続されている。
【００２３】
固体撮像装置１は、マニュアルフォーカス調整可能なレンズ２と、レンズ２で集光された被写体光像を光電変換して撮像データを得るＣＣＤ(Charge Coupled Device)等の固体撮像素子３と、固体撮像素子３から出力された撮像データに対してＡ／Ｄ変換や自動利得制御（ＡＧＣ）等のアナログ画像信号処理を施すアナログ画像信号処理部４と、アナログ画像信号処理部４からの撮像データに対してＹ／Ｃ変換処理等のディジタル信号処理を施すディジタル画像信号処理部５と、ディジタル画像信号処理部５からの撮像データに対してＪＰＥＧ(Joint Photographic Experts Group)等の圧縮データを生成する画像圧縮処理部６と、ネットワータ１７を介してデータを送信するためのＣＰＵ（中央処理装置）７及びネットワーク通信処理部８と、画像調整用映像出力処理部１５とを備えて構成されている。
【００２４】
また、画像調整用映像出力処理部１５は、ディジタル画像信号処理部５から供給されるフル画像データに対して、画像表示手段であるＴＶモニタ１６への全画面表示可能な画素数となるよう画像信号の水平方向及び垂直方向の画素数を所定の割合で画素を間引いて画素数を減じる第１の倍率へのリサイズ画像処理と、この第１の倍率の１／Ｎ倍の第２の倍率へのリサイズ画像処理とをフォーカス調整拡大スイッチ（ＳＷ）１３の指示により切り換えて出力する画素間引き処理部９と、フォーカス調整拡大ＳＷ１３によりフォーカス調整モードが選択されるとフォーカス調整位置選択ＳＷ１４により指定された所定位置の画像を切り出し、その切り出し画像を第３の倍率に画像処理して出力する拡大表示範囲選択処理部１０と、画素間引き処理部９からの映像出力信号と拡大表示範囲選択処理部１０からの映像出力信号とを合成処理するインポーズ画像合成処理部１１と、インポーズ画像合成処理部１１で合成処理された映像信号をＴＶモニタ１６の表示形式に合わせて信号処理してＴＶモニタ１６へ出力する画像表示ドライバ処理部１２とを備えて構成されている。
【００２５】
次に、本実施の形態の固体撮像装置１が有する各構成要素について説明する。固体撮像素子３は画像を撮影するための撮像素子であり、図１では図示していないタイミングジェネレータ及びビデオドライバの出力信号に基づき、例えば解像度がＳＸＧＡ（１２８０ｘ９６０画素）の撮影画像の撮像データを直列に出力する。固体撮像素子３から出力されたＳＸＧＡの撮像データは、アナログ画像信号処理部４で赤（Ｒ）、緑（Ｇ）及び青（Ｂ）の三原色のディジタル画像信号に変換され、更に自動利得制御（ＡＧＣ）処理後、ディジタル画像信号処理部５に供給され、ここで輝度信号Ｙと２種類の色差信号にＹ／Ｃ変換された後、垂直同期信号と水平同期信号を参照して、有効データ領域の全画像データが画像圧縮処理部６に出力されてＪＰＥＧ等に画像圧縮された後、ＣＰＵ７及びネットワーク通信処理部８によりネットワーク１７上へ出力される。
【００２６】
本実施の形態における画像調整用映像出力処理部１５は、ディジタル画像信号処理部５から出力される全画像データを入力として受け、その全画像データに対してＳＸＧＡの撮像データ処理を行って生成したＮＴＳＣ方式のアナログ画像信号をＴＶモニタ１６へ出力する。すなわち、画像調整用映像出力処理部１５は、ディジタル画像信号処理部５から図２（Ａ）に示す水平方向１２８０画素（ｐｉｘｅｌ）、垂直方向９６０画素（ｐｉｘｅｌ）の解像度のＳＸＧＡの入力撮像データ２０が供給され、まず、画素間引き処理部９によりＴＶモニタ１６への全画面表示可能な画素数となるよう画像信号の水平方向及び垂直方向の画素数を所定の割合で画素を間引いて画素数を減じた第１の倍率（ここでは、１／４）の図２（Ｂ）に示すＶＧＡ画像データ２１、又は第１の倍率の１／Ｎ倍（ここでは、Ｎ＝４）の第２の倍率へのリサイズ画像処理した図２（Ｃ）に示すＱＶＧＡ画像データ２２に圧縮処理する。
【００２７】
一方、画像調整用映像出力処理部１５は、拡大表示範囲選択処理部１０において、図２（Ａ）に示されるように、ＳＸＧＡの入力撮像データ２０の一画面範囲を縦方向４分割、横方向４分割の計１６分割し、各分割画面範囲を左上から右下へかけて上方向から下方向へ順番に１〜１６の分割画面番号を割り当てたとき、フォーカス調整位置選択ＳＷ１４により分割画面番号６付近が選択指示された場合には、分割画面番号６の分割画像とその周囲の分割画面番号７、１０及び１１の分割画像を切り出し、前記第３の倍率を「１」として、図２（Ｄ）に示すＳＸＧＡの解像度での拡大表示用画面データとしてのＶＧＡサイズの画像データ２３を得る。
【００２８】
その後、画像調整用映像出力処理部１５は、フォーカス調整拡大表示ＳＷ１３によりフォーカス調整モードがオフとされている場合には、インポーズ画像合成処理部１１より第１の倍率にリサイズ処理された図２（Ｂ）のＶＧＡの全体画像データ２１をそのまま出力する。従って、このときのインポーズ画像合成処理部１１から出力される画像データは、上記全体画像データ２１と同一の図２（Ｅ）に２４で示す全体画像データとなる。
【００２９】
一方、フォーカス調整拡大表示ＳＷ１３によりフォーカス調整モードがオンとされている場合には、図２（Ｃ）に示した第２の倍率にてリサイズ処理された全体画像データ２２と、図２（Ｄ）に示した第３の倍率にて切り出し拡大処理された画像データ２３とが、インポーズ画像合成処理部１１にて合成処理されて、図２（Ｆ）に示す合成画像データ２５として出力される。この時、第２の倍率にリサイズされた全体画像データ２２は、第３の倍率にて切り出し拡大処理された画像データ２３中の拡大表示用画面データの指定領域である分割画面領域６に重ならないように合成処理される。インポーズ画像合成処理部１１より出力されたＶＧＡの画像データ２４又は２５は、図１の画像表示ドライバ処理部１２にてＮＴＳＣ方式の信号にエンコード処理され、さらにＤ／Ａ変換されてアナログのＮＴＳＣ方式映像信号としてＴＶモニタ１６へ出力され、最終的に画面表示される。
【００３０】
図３（Ａ）〜（Ｆ）は本実施の形態における任意の位置での拡大画面と縮小された全体画像のインポーズ画像合成された、合成画像３０〜３５の表示例を示す。但し、図３（Ａ）〜（Ｆ）中、数字は分割画面番号を示しているが、これは説明のために付記したもので、実際の画面上では表示されない。また、「ＱＶＧＡ」は、第２の倍率でリサイズ処理された全体画像データの合成位置を示す。
【００３１】
本実施の形態によれば、フォーカス調整拡大表示ＳＷ１３によりフォーカス調整モードがオンとされており、かつ、フォーカス調整位置選択ＳＷ１４により例えば分割画面番号６付近が選択指示された場合には、図２（Ｆ）、図３（Ｃ）に示すように、第２の倍率にリサイズされたＱＶＧＡの解像度の全体画像と、第３の倍率にて切り出し拡大処理された分割画面領域６とその周辺の拡大表示画像とが重ならないようにＴＶモニタ１６に同時表示されるので、固体撮像装置１の撮像者は、ＱＶＧＡの解像度の全体画像で撮像構図を確認しながら、同時にレンズ２でのマニュアルフォーカス微調整の結果を拡大表示画像で容易に確認することができる。
【００３２】
本画像合成表示例では、フォーカス調整位置選択ＳＷ１４による切り出し位置指定の切り換え回数が少なく、周囲画像と中心付近の画像を効率良く切り換えて確認する例を示すが、切り出しする拡大表示画像の全体領域を変えて、常にフォーカス確認ターゲットである切り出し分割画像を、図２（Ｃ）に示したインポーズ画像合成するリサイズ処理された（縮小された）全体画像の左右又は上下とかの予め定めた位置に配置し表示してもよい。更には、ＴＶモニタ画面全域に表示せず、縮小された全体画像とフォーカス確認ターゲット画像のみを表示させて対比するターゲット画像を強調表示してもよい。
【００３３】
このように、本実施の形態では、固体撮像装置１に装備されたフォーカス調整拡大表示ＳＷ１３によりフォーカス調整モードがオンの時に、縮小された全体画像とフォーカス確認ターゲット位置拡大画像とが、お互いに重ならないように合成処理した画像調整用映像出力信号を固体撮像装置１に接続されたＴＶモニタ１６に出力することで、固体撮像装置１で撮像する全体の画像構図を確認しながら、同時に固体撮像装置１に取り付けられたレンズ２のマニュアルフォーカス調整を精度良く行うことができるため、現場での効率の良い設置施工が可能となる。
【００３４】
すなわち、本実施の形態では、画素数の多い固体撮像素子３で撮像されるディジタル画像のピント状態を、固体撮像装置１本体に接続された少ない画素数対応の低解像度表示のＴＶモニタ１６上に指定された所定位置の画像切り出しによる拡大画像を表示し、ＴＶモニタ１６の全画面表示面積の１／Ｎの縮小画像にリサイズ処理した全体画像を、ピント確認調整のための切り出し拡大表示画像部と重ならない位置にインポーズ画像合成処理表示することで全体の画像構図も同時に確認可能であり、固体撮像装置１に取り付けられたレンズ２のマニュアルフォーカス調整を精度良く行うことができるため、現場での効率の良い設置施工が可能となる。
【００３５】
なお、ＴＶモニタ１６が１０インチ程度であれば、インポーズ画像合成処理する全体画像の縮小画面サイズは、ＴＶモニタ１６の１／４程度（２.５インチ、ＱＶＧＡクラス）での画角表示が可能であり、画角構成確認用としての全体画像表示サイズとしては充分である。更にピント調整確認用としての画像表示領域は残りＱＶＧＡクラスの画像サイズの３倍の領域を確保できるため、Ｍ分割して得られる１つの分割領域をＱＶＧＡクラスの解像度になるようにＭの値を設定することで、高精細画像に於ける切り出し拡大表示によるピント調整確認は解像度的に十分満足できる。
【００３６】
次に、本発明の第２の実施の形態について、図２と図４を参照して説明する。本実施の形態では、図２に示すように、全体画像がＳＸＧＡの解像度をもつ映像信号を扱う場合、全体画像を水平方向と垂直方向共に分割する分割数Ｍを「４」とし、全体画像を１６分割して各分割画像単位をＱＶＧＡ単位にて位置管理し、図２（Ａ）に示すように各分割画像に対して、予め「１」〜「１６」の番号を付与し管理する。
【００３７】
固体撮像装置１に装備されたフォーカス調整拡大表示ＳＷ１３によりフォーカス調整モードがオンの時に、縮小された全体画像とフォーカス確認ターゲット位置拡大画像がお互いに重ならないように合成処理した画像調整用映像出力信号の第２の実施の形態の例を図４（Ａ）〜（Ｆ）に示す。図４（Ａ）〜（Ｆ）に示す各合成画像４０〜４５中の数字は、第３の倍率で切り出し拡大処理された画像に重ねて表示される、図１の拡大表示範囲選択処理部１０でＯＳＤ処理により前記各分割画像に付与した位置管理番号を示しており、その位置管理番号はフォーカス調整確認時にできるだけ障害を与えないよう、画像中心部から遠い片隅に表示処理する例を示す。また、図４（Ａ）〜（Ｆ）中の「ＱＶＧＡ」は、第２の倍率でリサイズ処理された全体画像データの合成位置を示す。
【００３８】
次に、本発明の第３の実施の形態を、図５を参照して説明する。図５（Ｃ）に示すように、全体画像がＵＸＧＡ(ultra XGA)の解像度をもつ映像信号を水平方向と垂直方向共に分割する分割数Ｍを奇数値「５」とし、全体画像を２５分割して各分割画像単位をＱＶＧＡ単位にて位置管理する場合、全体画像の中心部を基点にした拡大画像表示対応が可能であるが、図５（Ａ）に示すように、全体画像がＳＸＧＡの解像度をもつ映像信号を水平方向と垂直方向共に分割する分割数Ｍを偶数値「４」とし、全体画像を１６分割して各分割画像単位をＱＶＧＡ単位にて位置管理する場合、全体画像の中心部を基点にした拡大画像表示ができない。
【００３９】
しかしながら、ＩＰセキュリティカメラである箱形電子カメラや固定ドーム形電子カメラの設置時には、しばしば全体画像の中心部へのフォーカス調整要求が発生する。そこで、本実施の形態では、図５（Ａ）に示すように、ＳＸＧＡの解像度をもつ全体画像の中心部を基点とした分割領域として、破線で示す分割管理番号が「０」の分割領域５０を別途追加管理することで、分割数Ｍが偶数／奇数値にかかわらず、全体画像中心部のフォーカス調整確認を可能とすることができる。図５（Ｂ）は第３の倍率にて切り出し拡大処理された分割管理番号が「０」のフォーカス確認ターゲット位置拡大画像と、第２の倍率にてリサイズ処理されたＱＶＧＡの解像度を持つ全体画像との合成画像表示例を示す。
【００４０】
次に、本発明の第４の実施の形態を、図６を参照して説明する。図６（Ａ）に示すように、全体画像６０がＳＸＧＡの解像度をもつ映像信号を水平方向と垂直方向共に分割する分割数Ｍを「４」とし、全体画像を１６分割して各分割画像単位をＱＶＧＡ単位にて位置管理する場合、図６（Ｂ）〜（Ｈ）に示すように、フォーカス確認ターゲット位置拡大画像にインポーズ画像合成処理された、ＱＶＧＡサイズに縮小された全体画像上に、現在合成表示されているフォーカス確認ターゲット拡大画像の位置枠６１〜６７を重ねて表示することで、現在、全体画像のどの位置がフォーカス確認ターゲット位置拡大画像として選択しているかを視覚的に表現することが可能となる。
【００４１】
このように、本実施の形態によれば、固体撮像装置１で撮像する全体の画像構図を確認するための全体画像の縮小画像と、フォーカスを確認調整するためのターゲット画像位置の拡大画像とをお互いに重なることなく同時に画像表示し、更に視認性の良い補助情報として、現在選択拡大表示されている画面上に分割画面の位置情報（分割画面番号等）をＯＳＤで表示し、かつ、全体の構図確認用縮小画面には拡大表示されている画像枠６１〜６７を表示することで、被写体全体画像のどの画像位置のピント確認をしているかの把握が容易となり、画角調整やマニュアルフォーカス調整時のターゲット画面の視認性を高めることが可能であり、固体撮像装置１に装着したレンズ２のマニュアルフォーカス調整を精度良く行うことができるため、現場での効率の良い設置施工が可能となる。
【００４２】
なお、本発明は以上の実施の形態に限定されるものではなく、例えば、図１で説明した、フォーカス調整拡大ＳＷ１３及びフォーカス調整位置選択ＳＷ１４による制御は、ネットワーク１７を介してのリモート操作対応や、予めプリセット設定対応機能として構築してもよい。
【図面の簡単な説明】
【００４３】
【図１】本発明の固体撮像装置の一実施の形熊のブロック図である。
【図２】図１の画像調整用映像出力処理部における高精細画像（ＳＸＧＡ）での画像表示構成例の説明図である。
【図３】本発明の第１の実施の形態による調整確認用画像表示の説明図である。
【図４】本発明の第２の実施の形態による調整確認用画像表示の説明図である。
【図５】本発明の第３の実施の形態による調整確認用画像表示の具体的説明図である。
【図６】本発明の第４の実施の形態による調整確認用画像表示の具体的説明図である。
【符号の説明】
【００４４】
１  固体撮像装置
２  マニュアルフォーカス調整機能付レンズ
３  固体撮像素子
４  アナログ画像信号処理部
５  ディジタル画像信号処理部
６  画像圧縮処理部
７  中央処理装置（ＣＰＵ）
８  ネットワーク通信処理部
９  画素間引き処理部
１０  拡大表示範囲選択処理部
１１  インポーズ画像合成処理部
１２  画像表示ドライバ処理部
１３  フォーカス調整拡大表示ＳＷ
１４  フォーカス調整位置選択ＳＷ
１５  画像調整用映像出力処理部
１６  ＴＶモニタ
１７  ネットワーク
【図１】
2008206105.tif 000003
【図２】
2008206105.tif 000004
【図５】
2008206105.tif 000005
【図６】
2008206105.tif 000006
【図３】
2008206105.tif 000007
【図４】
2008206105.tif 000008